(57)【要約】      （修正有）【課題】小型アースオーガーでの打ち込み及び抜き取り可能なアンカー杭において、引き抜き強度と共に水平力にも優れ、しかも、打込み操作が容易な水平耐力用アンカー杭の提供を目的とする。【解決手段】持ち運び自在な小型アースオーガーに着脱自在な軸部１と、軸部１の先端部に螺旋状に設けられた回転刃２とを備えたアンカー杭を形成する。軸部１に沿ってスライドする水平耐力カラー２０を軸部１と別体に設ける。この水平耐力カラー２０は、スライド筒部２１と埋設固定部２２と導入部２３とからなる。地中に埋め込まれた回転刃２の上部の軸部１にスライド装着した水平耐力カラー２０を地表面に打ち込んでアンカー杭を固定するように設ける。【選択図】図１
0003135921.tif 000002
【実用新案登録請求の範囲】
【請求項１】
持ち運び自在な小型アースオーガーに着脱自在な軸部と、該軸部の先端部近傍から周囲に螺旋状に設けられた回転刃とを備え、小型アースオーガーの回転操作で埋め込み及び抜き取り自在に設けられたアンカー杭において、軸部に沿ってスライドすると共に、回転刃を埋設した後の地表面に打込まれる水平耐力カラーをアンカー杭と別体に設け、地中に埋め込まれた回転刃の上部の軸部にスライド装着した水平耐力カラーを地表面に打込んでアンカー杭を固定するように設けたことを特徴とする水平耐力用アンカー杭。
【請求項２】
前記回転刃は、渦巻き状の鋼製帯板からなり回転刃の引き抜き方向の引抜き面に引き抜き強度を増加せしめる凹み状の湾曲を形成するように設けられた回転刃で、該回転刃は、軸部の先端部近傍に設けられた小径の導入刃と、該導入刃よりも大径の刃を有する引抜き耐力刃と、回転刃の最上部に位置し引抜き耐力刃より小径の刃を有する戻り刃とで構成された請求項１記載の水平耐力用アンカー杭。
【請求項３】
前記水平耐力カラーは、前記軸部が貫通するスライド筒部と、該スライド筒部の周囲に設けられ前記回転刃の引抜き耐力刃の直径と同一又は引抜き耐力刃の直径よりも幅広に張り出した埋設固定部と、該埋設固定部から下方のスライド筒部に向かって窄むように形成された導入部とからなる請求項１又は２記載の水平耐力用アンカー杭。
【請求項４】
前記水平耐力カラーにおいて、前記埋設固定部の外形は略円柱形状を成し、前記導入部の外形は略円錐形状を成す請求項１乃至３いずれか記載の水平耐力用アンカー杭。
【請求項５】
前記水平耐力カラーにおいて、前記埋設固定部は板状を成し、前記導入部は該埋設固定部の下面に設けられた複数枚の導入片が前記スライド筒部の周囲に略放射状に固着された請求項１乃至３いずれか記載の水平耐力用アンカー杭。
【考案の詳細な説明】
【技術分野】
【０００１】
本考案は、打ち込みが容易で引抜力や水平耐力に優れ、例えばユニットハウスの固定などに好適な水平耐力用アンカー杭に関する。
【背景技術】
【０００２】
当出願人は、先に特許文献１に記載のユニットハウス用アンカー杭及びアンカー杭を備えたユニットハウスを提案している。このアンカー杭は、持ち運び自在な小型アースオーガーに着脱自在な軸部と、該軸部の先端部近傍から周囲に螺旋状を成す回転刃とを備え、小型アースオーガーの回転操作で埋め込み及び抜き取り自在に設けたもので、布基礎等を設置しなくても強固な固定力を有し、ユニットハウスの施工時間を短縮することができ、しかも、使用後において抜き取りやすく再使用可能にしたものである。
【０００３】
ところが、特許文献１のアンカー杭は、軸部の先端部近傍から周囲に回転刃を螺旋状に設けているので、引き抜き強度に優れているが、水平力に課題を残していた。そのため、特許文献１のユニットハウス用アンカー杭では、このアンカー杭と別体に打込み杭を形成し、この打込み杭とアンカー杭とを併用することで、水平力を担保するものであった。
【０００４】
一方、水平力や支持力に優れた杭として特許文献２に鋼管杭が提案されている。この鋼管杭によると、上部側の径が大径となり、下部側の径が小径となる複数の鋼管製円筒部材を同軸一体に連結することで、テーパー杭とほぼ同様な楔効果を地盤中で発揮することができ、ストレート杭よりも大きな支持力が得られるというものである。
【０００５】
また、特許文献３に、ねじ込み式鋼管杭及びその施工方法が記載されている。このねじ込み式鋼管杭では、杭の先端部に翼を設けた下部鋼管と、この下部鋼管より大径で下部鋼管の上端部に接合された上部鋼管とを有し、上部鋼管の外径を翼の外径以下に形成したものである。このようなねじ込み式鋼管杭によって水平力を高めようとするものである。
【特許文献１】実用新案登録第３１３３４８２号公報
【特許文献２】特開平１１−１８１７５９号公報
【特許文献３】特開２０００−７３３６５号公報
【考案の開示】
【考案が解決しようとする課題】
【０００６】
ところが、特許文献２に記載の鋼管杭や特許文献３に記載のねじ込み式鋼管杭などでは、これらの杭を打込む際に、大掛かりなクレーンや大型のオーガマシン等を使用する必要があり、持ち運び自在な小型アースオーガーでの打込みは不可能である。
【０００７】
また、いずれの杭も、大径に形成した上部と小径にした下部とを一体にして打込むものなので、打込みに要するエネルギーが莫大なものにならざるを得ない。しかも、一旦打込んだ後は、これらの杭を引き抜く際にも極めて多くのエネルギーを要するものになる。
【０００８】
そこで本考案は、上述の課題を解消すべく案出されたもので、小型アースオーガーでの打込み及び抜き取り可能なアンカー杭において、引き抜き強度と共に水平力にも優れ、しかも、打込み操作が容易な水平耐力用アンカー杭の提供を目的とするものである。
【課題を解決するための手段】
【０００９】
本考案の第１の手段は、持ち運び自在な小型アースオーガーＰに着脱自在な軸部１と、該軸部１の先端部近傍から周囲に螺旋状に設けられた回転刃２とを備え、小型アースオーガーＰの回転操作で埋め込み及び抜き取り自在に設けられたアンカー杭１０において、軸部１に沿ってスライドすると共に、回転刃２を埋設した後の地表面に打込まれる水平耐力カラー２０をアンカー杭１０と別体に設け、地中に埋め込まれた回転刃２の上部の軸部１にスライド装着した水平耐力カラー２０を地表面に打込んでアンカー杭１０を固定するように設けたことにある。
【００１０】
第２の手段の回転刃２は、渦巻き状の鋼製帯板からなり回転刃２の引き抜き方向の引抜き面に引き抜き強度を増加せしめる凹み状の湾曲を形成するように設けられた回転刃２で、該回転刃２は、軸部１の先端部近傍に設けられた小径の導入刃２Ａと、該導入刃２Ａよりも大径の刃を有する引抜き耐力刃２Ｂと、回転刃２の最上部に位置し引抜き耐力刃２Ｂより小径の刃を有する戻り刃２Ｃとで構成されている。
【００１１】
第３の手段の水平耐力カラー２０は、前記軸部１が貫通するスライド筒部２１と、該スライド筒部２１の周囲に設けられ前記回転刃２の引抜き耐力刃２Ｂの直径と同一又は引抜き耐力刃２Ｂの直径よりも幅広に張り出した埋設固定部２２と、該埋設固定部２２から下方のスライド筒部２１に向かって窄むように形成された導入部２３とで構成している。
【００１２】
第４の手段の水平耐力カラー２０において、前記埋設固定部２２の外形は略円柱形状を成し、前記導入部２３の外形は略円錐形状を成すものである。
【００１３】
第５の手段の水平耐力カラー２０において、前記埋設固定部２２は板状を成し、前記導入部２３は該埋設固定部２２の下面に設けられた複数枚の導入片２３Ａが前記スライド筒部２１の周囲に略放射状に固着されたことを課題解消のための手段とする。
【考案の効果】
【００１４】
本考案の請求項１により、小型アースオーガーＰの回転操作で埋め込み及び抜き取り自在に設けられたアンカー杭を、水平耐力カラー２０にて補強することができる。したがって、小型アースオーガーＰでの埋設が可能なアンカー杭であればどのような杭でも水平力を強化することが可能になる。
【００１５】
請求項２に記載の回転刃２によると、引き抜き強度と共に水平力にも優れたものになる。しかも、使用後のアンカー杭１０は、小型アースオーガーＰによって簡単に抜き取ることも可能になる。
【００１６】
請求項３乃至５における水平耐力カラー２０は、スライド筒部２１と、埋設固定部２２と、導入部２３とで構成しているので、水平耐力カラー２０の打込み操作が容易に行えるものである。したがって、打込み操作が容易なアンカー杭を提供することができる。
【００１７】
請求項４に記載の水平耐力カラー２０では、外形が略円柱形状の埋設固定部２２と略円錐形状を成す導入部２３とが、既に埋め込まれた回転刃２の上部の地表面に打込まれることで、回転刃２の埋め込み作業で柔らかくなっている地表面を強固に固めるものである。
【００１８】
また、請求項５に記載の水平耐力カラー２０によると、スライド筒部２１の周囲に略放射状に固着された複数枚の導入片２３Ａが、埋設固定部２２の下でしっかりと地中に食い込んで地表面を固める効果がある。
【００１９】
このように本考案によると、小型アースオーガーでの打込み及び抜き取り可能なアンカー杭において、引き抜き強度と共に水平力にも優れ、しかも、打込み操作が容易であるなどといった有益な種々の効果を奏するものである。
【考案を実施するための最良の形態】
【００２０】
本考案の最良の形態は、持ち運び自在な小型アースオーガーＰに着脱自在な軸部１と、該軸部１の先端部近傍から周囲に螺旋状に設けられた回転刃２とを備えたアンカー杭を形成する。回転刃２は、渦巻き状の鋼製帯板からなり回転刃２の引き抜き方向の引抜き面に引き抜き強度を増加せしめる凹み状の湾曲を形成するように設ける。該回転刃２は、軸部１の先端部近傍に設けられた小径の導入刃２Ａと、該導入刃２Ａよりも大径の刃を有する引抜き耐力刃２Ｂと、回転刃２の最上部に位置し引抜き耐力刃２Ｂより小径の刃を有する戻り刃２Ｃとで構成する。一方、軸部１に沿ってスライドする水平耐力カラー２０を軸部１と別体に設ける。該水平耐力カラー２０は、前記軸部１が貫通するスライド筒部２１と、該スライド筒部２１の周囲に設けられ前記回転刃２の最大直径よりも幅広に張り出した埋設固定部２２と、該埋設固定部２２から下方の軸部１に向かって窄んだ導入部２３とからなる。地中に埋め込まれた回転刃２の上部の軸部１に装着した水平耐力カラー２０を地表面に打込んでアンカー杭を固定するように設けたことで、当初の目的を達成するものである。
【実施例】
【００２１】
本考案の基本構成は、小型アースオーガーＰに着脱自在なアンカー杭１０と、このアンカー杭１０と別体に設けた水平耐力カラー２０とから成るものである（図１参照）。
【００２２】
アースオーガー(通称アンカードリル)とは、建設機械の一つで、モーター等を利用してスクリュー等を回転させ、地中にねじ込んで孔を掘って行く機械である。このアースオーガーには、クレーンで吊り上げて使用する大型のものから、作業員が持ち運んで使用する持ち運び自在な小型のものまである。動力は、エンジン、電動モーター、油圧式、手動もあるが、本考案で使用する小型アースオーガーＰは、電動モーター等が用いられている持ち運び自在な小型アースオーガーＰを使用し、アンカー杭１０の打込み機及び抜き取り機として利用するものである（図３参照）。また、小型アースオーガーＰの動力は任意に変更できる。図示例の小型アースオーガーＰは、スクリュー等を連結する角パイプ状のアダプタＰ１を備えたもので（図２参照）、該アダプタＰ１内部に挿入したスクリュー等の基端部に連結ボルトＰ２を貫通させて連結する。
【００２３】
本考案の軸部１は、中実鋼材にて設けられ、該軸部１の先端部３を先鋭状に形成している。また、軸部１に鋼製パイプ材を使用して軽量化することも可能である。更に、軸部１の材質はこのほかステンレス等の他の金属材や強化プラスチック等の使用も可能である。軸部１の径は、小型アースオーガーＰの仕様によって決定される。例えば、電動モーターを使用する小型アースオーガーＰによると、直径２２mm、長さ９００mmの軸部１であれば操作可能になる。
【００２４】
更に、軸部１の先端に先鋭状の鋼製先端部３を別体で設けてもよい。このような鋼製先端部３により、軸部１の埋め込み強度や耐久性を高めることができる。
【００２５】
一方、軸部１の基端部には、小型アースオーガーＰに連結する連結部４を設けている（図１、図２参照）。実施例では、使用する小型アースオーガーＰのアダプタＰ１に合わせて、連結ボルトＰ２を貫通させる横孔状の連結部４を設けている。また、この基端部がわに雄ねじ部１Ａを設けてある（図１参照）。図示例では、ユニットハウスＱに設けた連結腕部Ｑ１に軸部１を連結し、固定ナット６でネジ止めする（図４参照）。
【００２６】
回転刃２は、渦巻き状の鋼製帯板を用いることで、強靭で耐久性に優れた回転刃２を形成することができる。そして、回転刃２の引き抜き方向の引抜き面２Ｄに引き抜き強度を増加せしめる凹み状の湾曲を成すように設けたものである（図１参照）。この湾曲は、例えば、螺旋板状の回転刃２を軸部１に溶接する際に、回転刃２を強制的に湾曲させて形成する。また、回転刃２の材質も前記軸部１と同様に、ステンレス等の他の金属材や強化プラスチック等の使用も可能である。
【００２７】
更に、この回転刃２には、用途別に３種類の刃が設けられている（図１参照）。導入刃２Ａは、前記軸部１の先端部近傍から軸部１の周囲に設けられており、アンカー杭１０のねじ込み作業を容易にする。一方、引抜き耐力刃２Ｂは、軸部１の引抜き強度を高めるもので、該導入刃２Ａから延長されて導入刃２Ａよりも大径の刃を有している。更に、戻り刃２Ｃは、回転刃２の最上部に位置する刃で、アンカー杭１０を引き抜くときの案内となり、引き抜き作業を容易にする。この戻り刃２Ｃは、引抜き耐力刃２Ｂより小径の刃で形成するものである。
【００２８】
水平耐力カラー２０は、軸部１に沿ってスライドし回転刃２を埋設した後の地表面に打込まれるもので、軸部１と別体に設けている。この水平耐力カラー２０は、スライド筒部２１、埋設固定部２２、導入部２３にて構成している（図１参照）。スライド筒部２１は、軸部１が貫通する筒状の部材である。埋設固定部２２は、このスライド筒部２１の周囲に固着された部材で、回転刃２の引抜き耐力刃２Ｂの直径と同一又はこの直径より幅広に張り出すように形成している。更に、導入部２３は、この埋設固定部２２から下方のスライド筒部２１に向かって窄むように形成されている。これらの鋼製からなる水平耐力カラー２０の形状は、任意に変更できるものである。
【００２９】
図１又は図４に示す水平耐力カラー２０は、埋設固定部２２の外形が略円柱形状を成し、導入部２３の外形が略円錐形状を成す水平耐力カラー２０である。図示例では、埋設固定部２２や導入部２３の内部を中空状に設けているが、中実状に形成しても良い。また、略円柱形状の埋設固定部２２や略円錐形状の導入部２３は、角柱形状や角錐形状等に変更することも可能である。
【００３０】
一方、図５乃至図７に示す水平耐力カラー２０は、埋設固定部２２が板状を成している。そして、導入部２３はこの埋設固定部２２の下面に設けられた複数枚の導入片２３Ａで構成されており、各導入片２３Ａは、スライド筒部２１の周囲に略放射状に固着されたものである（図６参照）。図示の導入片２３Ａは略台形状を成した板体で形成されている（図５参照）。この導入片２３Ａの形状は任意に変更することができる。
【００３１】
次に、本考案アンカー杭１０の打込み方法について説明する。まず、所定位置に、小型アースオーガーＰにてアンカー杭１０を地中深く埋め込む（図３参照）。次に、水平耐力カラー２０を軸部１にスライド装着し、この水平耐力カラー２０をハンマー等で地表面に打込む。水平耐力カラー２０を打込む地表は回転刃２によって既に柔らかくなっているので、人力でも容易に打込むことが可能である。そして、この水平耐力カラー２０にて地表面を固めることで、アンカー杭１０の水平力を確保するものである。図示例では、ユニットハウスＱに連結した例を示しているが、本考案アンカー杭の用途は図示例に限定されるものではない。
【００３２】
尚、本考案における図示例の各構成は、本考案の一実施例に過ぎず、本考案の要旨を逸脱しない範囲において、形状、寸法等の設計変更、材質の転換及び形態の変更など、現在知られている技術範囲で自由に変更することができるものである。
【図面の簡単な説明】
【００３３】
【図１】本考案アンカー杭の一実施例を示す正面図である。
【図２】本考案で使用する小型アースオーガーの一実施例を示す正面図である。
【図３】本考案アンカー杭の操作状態を示す正面図である。
【図４】本考案アンカー杭の一使用例を示す正面図である。
【図５】本考案の水平耐力カラーの他の実施例を示す正面図である。
【図６】図５に示す水平耐力カラーの底面図である。
【図７】本考案アンカー杭の他の使用例を示す正面図である。
【符号の説明】
【００３４】
Ｐ  小型アースオーガー
Ｐ１ アダプタ
Ｐ２  連結ボルト
Ｑ  ユニットハウス
Ｑ１  連結腕部
１  軸部
１Ａ 雄ねじ部
２  回転刃
２Ａ 導入刃
２Ｂ 引抜き耐力刃
２Ｃ 戻り刃
２Ｄ 引抜き面
３  先端部
４  連結部
５  座金
６  固定ナット
１０  アンカー杭
２０  水平耐力カラー
２１  スライド筒部
２２  埋設固定部
２３  導入部
２３Ａ  導入片
【図１】
0003135921.tif 000003
【図２】
0003135921.tif 000004
【図３】
0003135921.tif 000005
【図４】
0003135921.tif 000006
【図５】
0003135921.tif 000007
【図６】
0003135921.tif 000008
【図７】
0003135921.tif 000009